【事件の表示】
　平成　２年特許願第３１５２０８号「情報処理装置」拒絶査定に対する審判事件［平成　４年　７月　１日出願公開、特開平　４−１８４６４９］について、次のとおり審決する。
【結　論】
　本件審判の請求は、成り立たない。
【理　由】
１．手続の経緯・本願発明
  本願は、平成２年11月20日の出願であって、その発明の要旨は、手続補正書により補正された明細書及び図面の記載からみて、その特許請求の範囲の請求項に記載された次のとおりのものと認められる。
「システムストレージと、キャッシュコントローラ及びバッファメモリを有するキャッシュ装置と、入力されるデータのチェックを行うチェック手段を有するプロセッサとからなる情報処理装置において、前記キャッシュコントローラは、前記バッファメモリから出力されるデータをチェックするチェック手段を有し、前記バッファメモリから読み出されたデータは前記プロセッサのチェック手段と前記キャッシュコントローラのチェック手段でチェックを行い、両者にエラーがあれば前記バッファメモリからのデータにエラーがあるものと判断し、前記システムストレージから読み出されたデータは前記プロセッサのチェック手段によりチェックして、エラーが検出された場合、前記システムストレージからのデータにエラーがあるものと判断し、前記バッファメモリからのデータにエラーがあると判断した場合には、前記キャッシュ装置を切り離し前記システムストレージを使用してアクセスを続行することを特徴とする情報処理装置。」（以下、「本願発明」という。）
２．引用例
　これに対して、原査定の拒絶理由に引用された、特開昭５４−１０６１３２号公報（以下、「引用例」という。）には、次の技術事項が記載されている。
（１）「主記憶装置と該主記憶装置の記憶内容の写しを保持するバッファ・メモリ装置とアクセス要求元をそなえ、処理進行に当って上記バッファ・メモリ装置をアクセスし、該バッファ・メモリ装置上に所望のデータが存在する場合に当該データを読出し存在しない場合に上記主記憶装置をアクセスして上記所望のデータを読出すようにしたバッファ・メモリ装置を有するデータ処理システムにおいて、上記バッファ・メモリからの読出しデータのエラーを検出する障害検出回路部、上記バッファ・メモリ装置上に所望のデータが存在するか否かを検出するアドレス比較回路部、および上記障害検出回路部によるエラー検出信号と上記アドレス比較回路部からの被存在信号とのいずれか一方の信号にもとずいて上記主記憶装置に対するアクセスを始動する主記憶アクセス始動回路部をもうけたことを特徴とするバッファ・メモリ・アクセス処理方式。」（第１頁左欄第５行から右欄第４行、特許請求の範囲の（１））
（２）データ部４からの読出しデータにエラーがあった場合、主記憶装置２に対して自動的にアクセスするようにされる。即ち、アクセス要求元３がアクセスを行った際にデータ部４がアクセスされ、障害検出回路部８によって、データ部４からの読出データに関してエラー・チェックが行われ、エラーが発生していた場合、アドレス比較回路部７が非存在信号ＮＦを発した場合と同様に、データ部４から読み出されたブロック単位情報はいずれもアクセス要求元３に受渡されることなく、メモリ・アクセス制御部６にリード・ライト信号が供給され、主記憶装置２に対してアクセスが開始され、主記憶装置２から読出されたデータがアクセス要求元３に受渡されること。（第４頁左上欄第１０行から右上欄第６行、及び第３頁左下欄第１２行から第１６行）
（３）主記憶装置２に対するアクセスが開始されると、メモリ・アクセス制御部６は、主記憶装置２に対して、ブロック・ロードを指示し、主記憶装置２から指示されたアドレスを含む１ブロックの情報が読み出され、ブロック単位情報中の所望のデータはオア回路１４を介してアクセス要求元３に受け渡されること、及び、ブロック・ロードされてきたブロック単位情報は、主記憶装置２側でエラー・チェックされていること。（第３頁左下欄第１９行から右下欄第１５行）
　以上を勘案すると、上記引用例には、
　バッファ・メモリ装置１と主記憶装置２と、アクセス要求元３とからなるバッファ・メモリ・アクセス処理方式において、障害検出回路部８によって、バッファ・メモリ装置１のデータ部４からのデータをチェックし、エラーがあれば、データ部４からのデータは、アクセス要求元３に受渡されることなく、主記憶装置２に対してアクセスが開始され、アクセス要求元３にデータを渡すこと、及び、主記憶装置２から読み出されるデータについては、主記憶装置２側でエラー・チェックが行なわれるバッファ・メモリ・アクセス処理方式の発明（以下、「引用例の発明」という。）が記載されていると認められる。
３．対比
　そこで、本願発明と引用例の発明とを比較すると、
　引用例の発明の「バッファ・メモリ・アクセス処理方式」、「バッファ・メモリ装置１」、「主記憶装置２」、「アクセス要求元３」は、それぞれ、本願発明の「情報処理装置」、「システムストレージ」、「キャッシュコントローラ及びバッファメモリを有するキャッシュ装置」、「プロセッサ」に対応しており、また、引用例の発明の「バッファ・メモリ装置１のデータ部４からのデータをチェックする障害検出回路部８」は、本願発明の「バッファメモリから出力されるデータをチェックするキャッシュコントローラのチェック手段」に対応していると認められる。また、主記憶装置２からアクセス要求元３に読み出されるデータは、主記憶装置２側でエラー・チェックがなされており、本願発明のシステムシステムストレージからプロセッサに読み出されるデータをチェックする手段により、システムストレージからのデータにエラーがあることが判断できるようになっている点でも相違はないと認められる。更に、引用例の発明では、データ部４からのデータをチェックし、エラーがあれば、データ部４からのデータはアクセス要求元に受渡されることが無くなり、主記憶装置２からのアクセスが開始されるのであって、本願発明のバッファメモリからのデータにエラーがあると判断した場合には、キャッシュ装置を切り離しシステムストレージを使用してアクセスを続行する点でも相違はないと認められる。
　したがって、本願発明と引用例の発明とは、
　システムストレージと、キャッシュコントローラ及びバッファメモリを有するキャッシュ装置と、プロセッサとからなる情報処理装置において、前記キャッシュコントローラは、前記バッファメモリから出力されるデータをチェックするチェック手段を有し、前記バッファメモリから読み出されたデータは、前記キャッシュコントローラのチェック手段でチェックを行い、エラーがあれば前記バッファメモリからのデータにエラーがあるものと判断し、前記システムストレージから読み出されたデータはチェック手段によりチェックして、エラーが検出された場合、前記システムストレージからのデータにエラーがあるものと判断し、前記バッファメモリからのデータにエラーがあると判断した場合には、前記キャッシュ装置を切り離し前記システムストレージを使用してアクセスを続行することを特徴とする情報処理装置である点で一致し、以下の点で相違している。
相違点
（１）データのチェック手段が、引用例の発明ではシステムストレージ側に設けられているのに対し、本願発明ではプロセッサに設けられている点。
（２）バッファメモリからのデータにエラーがあるものと判断する場合に、引用例の発明では、キャッシュコントローラのチェック手段のみでチェックしているのに対し、本願発明では、プロセッサのチェック手段とキャッシュコントローラのチェック手段の両者でチェックを行っている点。
４．当審の判断
　そこで、上記相違点について検討すると、
（１）プロセッサに、入力されるデータのチェック手段を設けることは、周知技術（例：特開昭６２−２７９４３５号公報の第１図のＰＣ２３、特開昭６３−８９４１号公報の第１図のパリティチェック回路７、特開昭６３−１２４１５７号公報の図面のパリティチェック回路５、特開平１−９９１３３号公報の第１図のパリティチェック回路４、特開平１−２０１７３５号公報の第１図のパリティチェック回路３、等を参照）であると認められ、システムストレージ側のチェック手段に代えて、プロセッサにチェック手段を設けること、あるいは、システムストレージ側のチェック手段に付加して、プロセッサにチェック手段を設けることは当業者が容易に想到しうることと認められる。
（２）本願発明においては、プロセッサのチェック手段とキャッシュコントローラのチェック手段の両者でチェックを行っている点が一応、相違しているが、これは、それぞれのチェック手段で異なった条件をチェックして、そのチェック結果に応じて特定の条件を判断するといったものではなく、バッファメモリから読みだしたデータについて、両方のチェック手段でチェックするようにしたものに過ぎず、引用例の発明のキャッシュコントローラのチェック手段でチェックするものと実質的な相違はないものと認められる。バッファメモリからのデータのエラーを判断するには、引用例の発明の構成で十分であるものと認められ、本願発明のように、両方のチェック手段でチェックするように、単に、変更することは、当業者が、適宜、必要に応じて設定できることであると認められる。
５．むすび
　以上のとおりであるから、本願発明は、引用例に記載された発明及び周知技術に基づいて、当業者が容易に発明をすることができたものと認められ、特許法第２９条第２項の規定により特許を受けることができない。
  したがって、本願は拒絶すべきものである。
　よって、結論のとおり審決する。